(57)【要約】【課題】極めて簡単な作業により短時間、低コストで支柱とビームとを組み付け接続し、しかもスマートな外観とし得る防護柵及びそれに用いる連結金具を提供する。【解決手段】防護柵は、横方向に貫通する貫通孔６を有する支柱１と、貫通孔６に挿入されて支柱と一体的に固定され貫通孔の両端側にそれぞれ基台連結片部７を有する基台金具４と、ビーム接続金具５を有する。ビーム接続金具５は、基台金具４の基台連結片部７に連結して基台金具と一体化される。さらに、ビーム接続金具５の一端側が貫通孔６と同軸回りに回動可能に基台連結片部７に連結されるとともに、他端側がビームの端部と枢支連結される。【選択図】図１
2018009398.tif 000002
【特許請求の範囲】
【請求項１】
複数の支柱を間隔を置いて地面に立設し支柱間にビームを横架させて連結した防護柵であり、
横方向に貫通する貫通孔を有する支柱と、
貫通孔に挿入されて支柱と一体的に固定され貫通孔の両端側にそれぞれ基台連結片部を有する基台金具と、
基台金具の基台連結片部に連結されるビーム接続金具であり、一端側において貫通孔と同軸回りに回動可能に基台連結片部に連結される回動連結部を有するとともに、他端側にビームの端部と枢支連結するための枢支孔部を一体として有するビーム接続金具と、
ビーム接続金具と連結するビームと、
を含むことを特徴とする防護柵。
【請求項２】
基台金具は、支柱の貫通孔の両側からそれぞれ挿入して相互に緊締結合される金具対からなる請求項１記載の防護柵。
【請求項３】
基台金具は、支柱の貫通孔の両側からそれぞれ挿入し挿入端側で螺合連結する雌雄螺子部を有することを特徴とする請求項１又は２記載の防護柵。
【請求項４】
基台金具は、支柱の貫通孔に挿入した状態で支柱の外側に向けて挿入孔口を配置させた長ナット部を含むことを特徴とする請求項１ないし３のいずれかに記載の防護柵。
【請求項５】
ビーム接続金具の回動連結部は、基台金具の長ナット部に螺合するボルト部を含むことを特徴とする請求項４記載の防護柵。
【請求項６】
ビーム接続金具は、ビーム端部と縫い挿し連結される枢支孔付き板状羽根体からなることを特徴とする請求項１ないし５のいずれかに記載の防護柵。
【請求項７】
基台金具は、支柱の貫通孔に挿入した状態で支柱の外側に向けて挿入孔口を配置させた長ナット部を含む金具であって、金具対を構成する第１の金具は挿入端側に長ナット部から一体的に突出するボルト部を有し、該第１の金具のボルト部が第２の金具の長ナット部に螺合して支柱の内部で相互に連結することを特徴とする請求項２ないし６のいずれかに記載の防護柵。
【請求項８】
支柱の貫通孔に挿入した状態で支柱の外側に向けて開口した基台金具の挿入孔口には、回転入力用座繰り凹部が設けられていることを特徴とする請求項４ないし７のいずれかに記載の防護柵。
【請求項９】
基台金具の金具対の長ナット部であって、支柱の貫通孔に挿入した際の支柱の外側に貫通孔の全周方向に直交状に拡大する頭部を有し、頭部と長ナットの外周面とが円弧状に接続していることを特徴とする請求項４ないし８のいずれかに記載の防護柵。
【請求項１０】
請求項７の支柱の貫通孔に挿入した状態で支柱の外側に向けて挿入孔口を配置させた長ナット部を含む基台金具であって、挿入端側に長ナット部から一体的に突出するボルト部を有する基台金具。
【請求項１１】
請求項６のビーム接続金具であって、一端側に基台金具の長ナット部に螺合するボルト部を有するとともに、他端側に縫い挿し連結用の枢支孔付き羽根体を一体に有するビーム接続金具。
【発明の詳細な説明】
【技術分野】
【０００１】
本発明は、道路の横断防止、道路・公園その他の敷地外への転落防止、その他の用途に用いられる防護柵及びそれに用いられる連結金具に関する。
【背景技術】
【０００２】
土地の境界や、区画に設けて所有権の公示や他人の不法な侵入防止を行うものや、公園、ゴルフ場、フィールドアスレチック、山岳地等に設けて人等の転落防止を図るもの、あるいは道路等での人のみだりな横断防止等を図るために用いる防護柵が知られている。防護柵は、古くは、角材又は丸太をまばらに立てただけのものがあったが、近時は、間隔をあけて複数の支柱を地面に立て、支柱間をビーム（横木）で連結した構造のものが広く知られている。従来の防護柵は、（１）地面に立設した支柱の正面となる側面にビームを固定するものや、（２）支柱自体の厚みと同等あるいはそれ以下の厚みのビームを用いて手前側に突出部分を作らないようにしたもの等がある。（１）の形態の防護柵は、堅固である程度大きな厚みサイズの支柱を立設して防護柵全体の強度を高くさせることができるという利点を有する。しかしながら、この形態の防護柵は、柵全体の前後厚み幅が大きなものとなり、重厚感があるが、軽量性やすっきりしたデザイン性に劣り、また、施工組立も単位の支柱やビーム材を重量のあるものを使用するから、組立、接続作業もそれほど容易ではない。さらに、支柱の立設位置が平面視で蛇行状に曲がっている個所や、傾斜地で施工する場合に各支柱とビームとの連結作業時に支柱側、あるいはビーム側に切り欠き等作成のためにそれぞれについて加工が必要で、施工作業時間がかかる問題があった。また、（２）の支柱自体の厚みと同等程度の厚みのビームを用いるものでは、支柱とビームとの連結強度が弱くなりがちで、強度を上げるために種々の連結用部材を用いる必要等がある。従来、防護柵につき特許文献１に示すものが提案されている。
【先行技術文献】
【特許文献】
【０００３】
【特許文献１】実用新案登録第３１８５８７０号公報
【発明の概要】
【発明が解決しようとする課題】
【０００４】
この従来の防護柵の１例は、縦に設置する角形鋼管１（以下、この段落番号の説明中で用いる部材番号は、この段落番号中の説明においてのみ適用されるものとする。）の側面に連結ブラケット７を固定し、この連結ブラケット７の一部を外部に突出させる逃がし穴１６を設けた化粧板４で角形鋼管１を両側から挟み付けた状態で固定し、ビーム２の端面に連結金具６を固定し、角形鋼管１の連結ブラケット７の突出部分とビーム２の連結金具６とを連結して支柱とビームを接続するものである。また、この従来の防護柵の他の例では、２本の角形鋼管１ａ、１ｂと、ビームの端面に取り付けた各連結金具６ａ、６ａの一部を重ねてその両側から角形鋼管１ａ、１ｂで挟み付けて固定するものである。この従来の防護柵の１例は、ボルト８周りにビーム２を回動して蛇行状に支柱を配置した箇所でも容易に角度を変更して設置することができるものの、化粧板４、連結ブラケット７、連結金具６等の特殊部材、金具が必要で、角形鋼管１やビーム２への取付位置決め、さらには、化粧板４への逃がし穴１６の形成位置決めを精度よく行う必要があり、作業が容易ではなく、組み付け時間がかかり、また、部品点数が多く部品管理上も不利である。また、従来の防護柵の他の例は角形鋼管２個を用い、両側のビームの連結金具６の一部を挟み付けて組み付けるから、施工作業が簡単でなく、時間がかかり全体の施工コスト高となる欠点がある。
【０００５】
本発明は上記従来の課題に鑑みてなされたものであり、その一つの目的は、極めて簡単な作業により短時間、低コストで支柱とビームとを組み付け接続し、しかもスマートな外観とし得る防護柵及びそれに用いる連結金具を提供することにある。
【課題を解決するための手段】
【０００６】
上記課題を解決するために本発明は、複数の支柱１ａ、１ｂ、１ｃを間隔を置いて地面に立設し支柱間にビーム２を横架させて連結した防護柵１０であり、横方向に貫通する貫通孔６を有する支柱１と、貫通孔６に挿入されて支柱１と一体的に固定され貫通孔の両端側にそれぞれ基台連結片部７を有する基台金具４と基台金具４の基台連結片部７に連結されるビーム接続金具５であり、一端側に貫通孔６と同軸回りに回動可能に基台連結片部７に連結される回動連結部５２を有するとともに他端側にビーム２の端部と枢支連結するための枢支孔部１８を一体として含むビーム接続金具５と、ビーム接続金具５と連結するビーム２と、を含む防護柵１０から構成される。支柱とビームとの接続に際して必要な作業は、支柱のビーム取付位置への貫通孔の穿孔と、支柱への基台金具の取り付けと、基台金具へのビーム接続金具の連結と、ビーム接続金具とビームとの連結であり、金具同士の連結やビーム接続金具とビームとの連結は螺合、嵌合等作業や穿孔作業であって短時間かつ簡単な作業で完了させることができる。基台金具４とビーム接続金具５とで任意の貫通孔軸回り位置で、かつ、基台金具とビーム端部とを任意の接続角度で連結しうる。
【０００７】
基台金具４は、支柱１の貫通孔６の両側からそれぞれ挿入して相互に緊締結合される金具対からなるようにしてもよい。貫通孔の両端側にそれぞれ基台連結片部を有したままで支柱内で２つの金具からなる金具対を連結させることができるから、後発的に基台金具の外端部に基台連結片部を形成することなく、円滑に支柱へのビーム接続作業を行える。
【０００８】
基台金具４は、支柱１の貫通孔６の両側からそれぞれ挿入し挿入端側で螺合連結する雌雄螺子部８を有することにより、支柱内で両側から貫通孔に挿入する２つの金具の連結を相互に回動させる状態で連結させる。これによって、支柱両側の基台金具が回動可能に連結するから、それぞれに接続するビーム接続金具とビームの接続作業を簡単かつ円滑に行える。
【０００９】
基台金具４は、支柱１の貫通孔６に挿入した状態で支柱の外側に向けて挿入孔口９を配置させた長ナット部１２を含むとよい。これによって、基台金具とビーム接続金具を螺合接続しつつビーム端部と連結させるから、連結作業が簡単でしかも貫通孔の軸心周りに回動可能となるから、ビーム接続金具とビームとの接続を円滑に実現しうる。
【００１０】
ビーム接続金具５の回動連結部５２は、基台金具４の長ナット部１２に螺合するボルト部１６を含むとよい。これによって、ビーム接続金具は、基台金具と貫通孔の軸心周りに回動可能に接続され、ビーム接続金具とビーム端部との簡単な締結作業で支柱とビームとの接続作業を完了しうる。
【００１１】
ビーム接続金具５は、ビーム端部と縫い挿し連結される枢支孔付き板状羽根体からなることとすることにより、基台金具４とビーム接続金具とを任意の貫通孔軸回り位置で連結し、同時に基台金具４とビーム２端部とを任意の接続角度で連結して支柱の設置位置が平面視で蛇行する形態であっても、傾斜勾配地であってもこれらの地形に適合し得る防護柵を構成することができる。また、設置作業を簡単かつ短時間に遂行し得る。
【００１２】
基台金具４は、支柱１の貫通孔６に挿入した状態で支柱の外側に向けて挿入孔口９を配置させた長ナット部１２を含む金具であって、金具対を構成する第１の金具４ａは挿入端側に長ナット部１２から一体的に突出するボルト部１４を有し、該第１の金具４ａのボルト部１４が第２の金具４ｂの長ナット部１２に螺合して支柱２の内部で相互に連結するものとすることができる。
【００１３】
また、支柱１の貫通孔６に挿入した状態で支柱の外側に向けて開口した基台金具４の挿入孔口９には、回転入力用座繰り凹部２７が設けられているとよい。
【００１４】
さらに、基台金具４の金具対の長ナット部１２であって、支柱１の貫通孔６に挿入した際の支柱１の外側に貫通孔６の全周方向に直交状に拡大する頭部３０を有し、頭部と長ナットの外周面とが円弧状に接続しているとよい。
【００１５】
また、本発明の基台金具４は、請求項７の支柱１の貫通孔６に挿入した状態で支柱の外側に向けて挿入孔口９を配置させた長ナット部１２を含む基台金具であって、挿入端側に長ナット部１２から一体的に突出するボルト部１４を有する基台金具４から構成される。
【００１６】
また、本発明のビーム接続金具５は、請求項６のビーム接続金具であって、一端側に基台金具４の長ナット部１２に螺合するボルト部１６を有するとともに、他端側に枢支連結用の枢支孔２０付き羽根体を一体に有するビーム接続金具５から構成される。
【発明の効果】
【００１７】
本発明の防護柵によれば、複数の支柱を間隔を置いて地面に立設し支柱間にビームを横架させて連結した防護柵であり、横方向に貫通する貫通孔を有する支柱と、貫通孔に挿入されて支柱と一体的に固定され貫通孔の両端側にそれぞれ基台連結片部を有する基台金具と、基台金具の基台連結片部に連結されるビーム接続金具であり、一端側において貫通孔と同軸回りに回動可能に基台連結片部に連結される回動連結部を有するとともに、他端側にビームの端部と枢支連結するための枢支孔部を一体として有するビーム接続金具と、ビーム接続金具と連結するビームと、を含む構成であるから、支柱のビーム取付位置への貫通孔の穿孔と、支柱への基台金具の取り付けと、基台金具へのビーム接続金具の金具連結と、ビーム接続金具とビームとの連結という、極めて簡単な操作で、かつ短時間で防護柵の設置を完了させることができる。したがって、作業コストを大幅に低減できる。また、基台金具とビーム接続金具とを任意の貫通孔軸回り位置で連結し、同時に基台金具とビーム端部とを任意の接続角度で連結して支柱の設置位置が平面視で蛇行する形態であっても、傾斜勾配地であってもこれらの地形に適合し得る防護柵を簡単、かつ短時間に構築することができる。
【００１８】
基台金具は、支柱の貫通孔の両側からそれぞれ挿入して相互に緊締結合される金具対からなる構成とすることにより、支柱の内部中間位置で基台金具が左右から挿入されて連結されるから、締結力のバランスがよく、また、締結強度を高いものとすることができる。
【００１９】
また、基台金具は、支柱の貫通孔の両側からそれぞれ挿入し挿入端側で螺合連結する雌雄螺子部を有する構成とすることにより、支柱の内部中間位置で基台金具が左右から挿入されて螺合連結されるから、締結力のバランスがよく、また、締結強度を高いものとすることができる。
【００２０】
また、基台金具は、支柱の貫通孔に挿入した状態で支柱の外側に向けて挿入孔口を配置させた長ナット部を含む構成とすることにより、ビーム接続金具と螺合による金具連結でビームとの接続態様を確保でき、接続作業が簡単でかつ短時間で支柱とビームとの接続準備を完了させ得る。
【００２１】
また、ビーム接続金具の回動連結部は、基台金具の長ナット部に螺合するボルト部を含む構成とすることにより、基台金具の長ナット部とビーム接続金具のボルト部を螺合連結するだけでビームとの接続態様を確保でき、接続作業が簡単でかつ短時間で支柱とビームとの接続準備を完了させ得る。
【００２２】
また、ビーム接続金具は、ビーム端部と縫い挿し連結される枢支孔付き板状羽根体からなる構成とすることにより、平面視蛇行、傾斜勾配地での施工に際し、羽根体の板面方向への強制回動も楽に行えて変化地形等での設置の際の角度微調整設定を行える。また変化に則したほぼ正確な防護柵構造を構築し得る。すなわち、貫通孔内の連結金具の軸の回転位置がどのように設定されてもビームの他端部を強制回動することで板面方向に容易に曲げられる結果、微妙な平面視蛇行状あるいは正面視高低差のある傾斜地などでも支柱の設定位置に適合させて支柱とビームとを良好な連結状態で接続させることができる。
【００２３】
また、基台金具は、支柱の貫通孔に挿入した状態で支柱の外側に向けて挿入孔口を配置させた長ナット部を含む金具であって、金具対を構成する第１の金具は挿入端側に長ナット部から一体的に突出するボルト部を有し、該第１の金具のボルト部が第２の金具の長ナット部に螺合して支柱の内部で相互に連結することにより、支柱の内部中間位置で基台金具が左右から挿入されて螺合連結し、締結力のバランスがよく、また、締結強度を高いものとすることができる。
【００２４】
また、支柱の貫通孔に挿入した状態で支柱の外側に向けて開口した基台金具の挿入孔口には、回転入力用座繰り凹部が設けられた構成とすることにより、円盤状頭部とナット本体を一体化させた異形ナット体を用いてナット孔の一端側から回転入力させる構成を実現し得る。また、一対の基台金具の製作に共通のナット部材を用いて製作コストを安価にし得る。
【００２５】
また、基台金具の金具対の長ナット部であって、支柱の貫通孔に挿入した際の支柱の外側に貫通孔の全周方向に直交状に拡大する頭部を有し、頭部と長ナットの外周面とが円弧状に接続した構成とすることにより、円盤状頭部とナット本体を一体化させた異形ナット体を具体的に実現し得る。
【００２６】
また、本発明の基台金具は、支柱の貫通孔に挿入した状態で支柱の外側に向けて挿入孔口を配置させた長ナット部を含む基台金具であって、挿入端側に長ナット部から一体的に突出するボルト部を有する構成とすることにより、金具連結されるビーム接続金具との金具連結を行う基台連結片部を外端側に配置させつつ、支柱の両側から挟み付ける態様で貫通孔から１対の基台金具を挿入連結させ、組立作業の簡単化、作業時間短縮、柵構造の強度保持を実現し得る。
【００２７】
また、本発明のビーム接続金具は、一端側に基台金具の長ナット部に螺合するボルト部を有するとともに、他端側に縫い挿し連結用の枢支孔付き羽根体を一体に有する構成とすることにより、基台金具との金具連結によりビームとのボルト等による縫い挿し連結作業による連結構成を実現し得る。
【図面の簡単な説明】
【００２８】
【図１】本発明の防護柵の第１実施形態の要部正面説明図である。
【図２】図１の支柱のＡ−Ａ線矢視図である。
【図３】図１の防護柵の基礎部を省略した平面図である。
【図４】図１の防護柵の支柱とビーム接続用の連結用金具の拡大分解説明図である。
【図５】図４の支柱とビーム接続用の連結用金具の拡大斜視説明図である。
【図６】図４の支柱とビーム接続用の連結用金具の連結状態の正面説明図である。
【図７】図６の支柱とビーム接続用の連結用金具にビームを接続した状態を示す正面説明図である。
【図８】図７の接続状態の要部拡大平面図である。
【図９】図７の接続状態から、縫い挿し用の締結具で締結させた状態の要部拡大平面図である。
【図１０】支柱やビームへの基台金具、ビーム接続金具の連結時の構成要素の回動方向などを示す説明図である。
【図１１】実施形態のビームの端部の斜視説明図である。
【発明を実施するための形態】
【００２９】
以下添付図面を参照しつつ本発明の防護柵の実施形態について説明する。本発明の防護柵は、諸施設からの人等の転落防止、施設や領域からの出入禁止の防壁等として使用される柵構造体を含む。図１ないし図９は、本発明の防護柵の一実施形態を示しており、図１において、本発明の防護柵を備えた防護柵設備が示されている。図１の防護柵においては説明の便宜のためにビームと連結した３個の支柱による構造体を示しているが、それ以上の個数をビームと連結して設けてもよいし、２個の支柱をビーム連結しただけの設備であってもよい。
【００３０】
図１において、所要間隔をあけて３個の支柱１（１ａ、１ｂ、１ｃ）が地面に立設されそれぞれ支柱１ａ、１ｂ間と、支柱１ｂ、１ｃ間に４個のビーム２が両端を支柱に連結されて横架されている。実施形態において、各支柱間は例えば３メートルの離間距離に設定されている。
【００３１】
本実施形態において、支柱１並びに横架材としてのビーム２は共に木材で構成されており、間伐材などを用いることにより植林、木材需要喚起を通じて林業振興を促すことができる。支柱１やビーム２は、所定の直径及び長さ寸法サイズに成形され、さらに必要に応じて予め、表面処理、防腐処理等が施されている。なお、支柱並びにビームは、必ずしも木材に限定されるものではなく、支柱についてはコンクリート材を用いてもよい。
【００３２】
図１の実施形態において、所要の計画設置箇所にコンクリート基礎ブロック３を介して支柱１ａ、１ｂ、１ｃが地面に立設されている。実施形態に係る防護柵は、図１において、支柱１とビーム２との接続部分に主要な構成が含まれる。
【００３３】
図４は、実施形態の防護柵１０の主要な構成要素を示したものであり、図において、防護柵１０は、支柱１と、基台金具４（４ａ、４ｂ）と、ビーム接続金具５と、ビーム２と、を含む。基台金具４は、支柱１を横方向に貫通する貫通孔６に挿入されて支柱と一体となるように固定され、支柱と一体化された基台金具４にビーム接続金具５を金具連結させるための基礎となる台金具である。
【００３４】
基台金具４は、貫通孔６に挿入されて支柱１と一体的に固定されるとともに貫通孔６の両端側にそれぞれ基台連結片部７を有している。図４、６、７に示すように、本実施形態において、基台金具４は、支柱１の貫通孔６の両側からそれぞれ挿入して相互に緊締結合する第１、第２基台金具４ａ、４ｂを含む金具対からなっている。実施形態の基台金具４ａ、４ｂは、貫通孔６へ挿入する部分に雌雄いずれかの螺子部８を有しており、両側の孔口からそれぞれの基台金具４ａ、４ｂを挿入して支柱の内側で螺子締結合させる。なお、基台金具４は、貫通孔６の一方側の孔口から挿入するものでもよい。
【００３５】
基台金具４において、貫通孔６の両端側に設けた基台連結片部７は、基台金具４とビーム接続金具５とを金具連結させるための部位である。実施形態において、基台金具４は、支柱１の貫通孔６に挿入した状態で支柱の外側に向けて挿入孔口９を配置させた長ナット部１２を備えている。すなわち、本実施形態において、基台連結片部７は、挿入孔口９を含んでおり、この挿入孔口９を介してビーム接続金具５を基台金具４に金具連結させる。特に、本実施形態において、挿入孔口９に連続して長ナット部１２の雌螺子部１２ａが設けられており、これによって、基台金具４とビーム接続金具５とが螺合により金具連結される。
【００３６】
図４、５において、基台金具４の第１の基台金具４ａは挿入端側に長ナット部１２から一体的に突出するボルト部１４を有し、該ボルト部１４が第２の基台金具４ｂの長ナット部１２に螺合して支柱１の内部で相互に螺合連結する。基台金具４ａは例えば、長ナット部の挿入端側に頭部を有しない軸体のみからなるボルト軸を螺着させて一部を螺合させ、その状態で長ナット部１２の外側からポンチ加締め等を行うことにより一体化させることができる。第１の基台金具４ａとボルト部１４との連結はこの方法に限定されるものではなく、溶接、接着固定、その他の固定方法を用いることができる。
【００３７】
図４、５において、基台金具４の第１の基台金具４ａは挿入端側（内部側）に長ナット部１２から一体的に突出するボルト部１４を有するとともに、挿入端の他端側となる外部側に基台連結片部７を有している。また、基台金具４の第２の基台金具４ｂは挿入端側に第１基台金具のボルト部１４に螺合する長ナット部１２の端部を開口しているとともに、挿入端の他端側となる外部側に基台連結片部７を有している。
【００３８】
ビーム接続金具５は、基台金具４の基台連結片部７に連結して基台金具４と金具連結される接続金具であり、一端側に回動連結部５２を有するとともに、他端側に枢支孔部１８を一体として備えている。回動連結部５２は、貫通孔６と同軸回りに回動可能に基台連結片部７に連結される。また、枢支孔部１８は、ビーム接続金具の他端側とビーム２の一端側を枢支連結するための枢支孔２０を有する孔付き金具であり、回動連結部５２と一体に設けられている。
【００３９】
本実施形態において、ビーム接続金具５の回動連結部５２は、ビーム接続金具の一端側にあって基台金具４の長ナット部１２の外側から挿入されて長ナット部１２に螺合するボルト部１６を含む。また、本実施形態において枢支孔部１８は、ビーム接続金具の他端側にあってビーム２の端部とともに縫い挿し連結される枢支孔２０を含み、基台金具４の螺合進退方向と交差方向となる横軸周りに接続角度を変更可能に基台金具とビームとを連結する。回動連結部５２のボルト部１６と枢支孔部１８は一体化されており、ボルト部１６の螺合回転時に結合部を中心にして同方向に回転する。
【００４０】
実施形態において、枢支孔部１８は、ビーム２の端部とともに縫い挿し連結される、孔２０を有する孔付き金具で形成されている。実施形態では、枢支孔部１８は金属製の板状羽根体で形成されている。枢支孔部１８は板状羽根体の構成に限定されることなく、その他の任意の立体形状で形成されてもよい。実施形態において枢支孔部１８は、図４、５に示すように、長矩形状の板状羽根体の短辺側中央部において六角ボルト体からなるボルト部１６の頭部が羽根体の板面と長手方向を同じとするように接続されて構成されている。すなわち、枢支孔部１８は、例えば頭部と螺子部を備えた通常のボルトと孔付きの金属板とを溶接して一体連結して構成している。孔２０は、例えば軸径１８ミリメートル程度のボルト軸が挿通可能な横長の長孔で形成されている。したがって、枢支軸としての締結具２６を軸として締結前のビーム接続金具とビーム端部との接続角度調整を簡単にかつ軸部の可動域を保持しながら接続することができる。
【００４１】
ボルト部１６と枢支孔部１８の孔付き金具とは接続部分において強制的な外力により曲げられるように連結されている。この意味で、孔付き金具（１８）は、ビーム接続金具５の可撓連結部であるとも言える。これによって、ビーム接続金具５は、貫通孔６の軸６００と同軸回り方向ｘｒ（図１０参照）に回動可能であるとともに、枢支孔部１８において、任意の接続角度ｂｒ（図７参照）で角度変更自在にビーム２端部に連結接続される。さらに、板状羽根体の枢支孔部１８は板面方向に向けて強制的にある程度の曲げ角度で曲げることができる。
【００４２】
ビーム接続金具５の枢支孔部１８としての板状羽根体は、図８、９、１１に示すように、ビーム２の端部に形成されたスリット２２に挿入され、さらに、予めビーム端部において該スリット２２を横貫通する方向にビームに穿孔された通孔２４と板状羽根体の枢支孔２０とを位置合わせした状態で、枢支軸としての締結具２６を介してビーム接続金具５とビーム２とが連結される。実施形態では、締結具２６は、図４、５の長ナットと同様に、頭部とナット本体と円弧接続部を有する異形長ナットとボルトとの連結により締結している。なお、通孔２４と枢支孔２０とを挿通して締結させる装置は、実施形態の構成に限ることなく、通常のボルト、ナット部材を用いて締結することができる。また、ラグスクリューを用いて締結させてもよい。ラグスクリューを用いる場合には、ビームの通孔２４は貫通孔ではなくビーム直径の２文の１深さ程度までの下穴を設けるとよい。
【００４３】
ビーム接続金具５の貫通孔６との同軸回り回動構成と協働してビーム２の他端側が貫通孔６の軸の全周方向に曲げ可能に支柱１に対して接続される。ビーム接続金具５の枢支孔部１８を金属製板状羽根体から構成することにより、板面方向に曲げやすくなり、これによって、貫通孔６内の基台金具４やビーム接続金具５の軸回り方向の任意位置で基台金具とビームとを連結し、枢支孔部１８によるビーム接続金具とビーム端部との枢着構成により、任意の屈曲角度で基台金具とビームとを連結接続する。さらに、ビーム２の他端部を強制回動することで板面方向に容易に曲げられる結果、平面視蛇行状あるいは正面視高低差のある傾斜地などでも支柱の設定位置に適合させて支柱とビームとを良好な連結状態で接続させる上に、接続角度の微調整も容易に行うことが可能となる。
【００４４】
なお、図５に示すように支柱１の貫通孔６に挿入した状態で支柱の外側に向けて開口した基台金具４の挿入孔口９には、回転入力用凹部２７が設けられており、基台金具４を支柱１の貫通孔６に挿入させて簡単な操作で支柱内部で締結させることができる。
【００４５】
また、図４，５に示すように、基台金具４の金具対の長ナット部１２は、ナット本体２８と、ナット本体の一端側に接続され、支柱１の貫通孔６に挿入した際の支柱１の外側に貫通孔６の全周方向に直交状に拡大する円盤状頭部３０と、を備えている。そして、頭部３０とナット本体２８の外周面とが連続して円弧状に接続した異形長ナットで構成されている。これによって、支柱１を挟んで両側から第１、第２基台金具を貫通孔６から挿入して支柱の内部で締結させる際に、支柱１に基台金具４を強固に一体化させることができ、ビームの支持を安定化させ、柵構造全体の強度を保持し得る。なお、図５に示すように頭部３０には回り止め用のボルト孔３４が設けられており、頭部の内側を支柱に対向させた状態でボルトを挿入して回り止めする。
【００４６】
図８、９中、３２は、木製支柱の全長にわたって設けられたひび割れ抑制のための背割れである。
【００４７】
次に、本発明の防護柵を有する防護柵設備の構築工程について説明すると、前提として、基礎ブロックを支柱の設置場所の地中に埋めて基礎を作る。また、木製支柱の孔あけ、背割れ、ビームのスリット、孔あけ、背割れ等の加工を予め工場で行っておく。
（１）建てる前の支柱１に長手方向所定間隔をあけて取り付けるビーム２の個数に対応した数（実施形態では１つの支柱について４個）の貫通孔６をドリル等で穿孔する。
（２）次に、丸鋸等でビーム２の両端にビーム接続金具５との連結用のスリット２２を施す。なお、ビームのスリット近傍にもひび割れ防止用の図示しない背割れが施されている。
（３）ビームのスリット２２を貫通する方向に向けて、ビームに通孔２４を穿孔する。
（４）第１、第２基台金具４ａ、４ｂを支柱の両側から挿入し、回転入力用凹部２７に六角レンチ等で回転し支柱の内部において長ナットの雌螺子部１２ａと、ボルト部１４とを螺合させて締結する。
（５）第１、第２基台金具４ａ、４ｂの長ナット部１２の基台連結片部７の挿入孔口９からビーム接続金具のボルト部１６を捩じ込んで基台金具４にビーム接続金具５を連結する。
（６）通孔２４と縫い挿し連結用孔２０を通して締結具２６を挿通し、ビーム２端部とビーム接続金具５とを連結固定する。なお、最外端部に位置する支柱への取り付け金具は、基台金具のみを左右から締着させてビームを設けない側面側にはビーム接続金具５を接続しないようにすればよい。
【００４８】
上記の実施形態では、支柱及びビームは木材を用いた構成としているが、支柱をコンクリート柱とすることもできる。この場合にはあらかじめ、貫通孔６用の型材を配置させて貫通孔付きのコンクリート支柱を成形することにより、その後の作業工程は上記の実施形態と同様に基台金具４、ビーム接続金具５、ビーム２を連結接続することとなる。
【００４９】
以上説明した本発明の防護柵、及び連結金具は、上記した実施形態のみの構成に限定されるものではなく、特許請求の範囲に記載した本発明の本質を逸脱しない範囲において、任意の改変を行ってもよい。
【産業上の利用可能性】
【００５０】
本発明の防護柵、及び連結金具は、種々の防護柵設備、進入禁止等区画の境界設置等に好適に利用できる。
【符号の説明】
【００５１】
１  支柱
２  ビーム
４  基台金具
５  ビーム接続金具
６  貫通孔
７  基台連結片部
９  挿入孔口
１０  防護柵
１２  長ナット部
１４  基台金具の挿入端ボルト部
１６  ビーム接続金具のボルト部
１８  枢支孔部（孔付き金具）
２０  枢支孔
２４  通孔
２８  長ナットの頭部
５２  回動連結部
【図１】
2018009398.tif 000003
【図２】
2018009398.tif 000004
【図３】
2018009398.tif 000005
【図４】
2018009398.tif 000006
【図５】
2018009398.tif 000007
【図６】
2018009398.tif 000008
【図７】
2018009398.tif 000009
【図８】
2018009398.tif 000010
【図９】
2018009398.tif 000011
【図１０】
2018009398.tif 000012
【図１１】
2018009398.tif 000013